(57)【特許請求の範囲】
【請求項１】
レーザービームを光ディスクに照射し、その反射光を受光して電気信号に変換する光ピックアップと、
上記電気信号を２値化するデータスライス部と、
上記データスライス部からの２値化信号により基準クロックを生成するＰＬＬ部と、
上記基準クロックにより、上記２値化信号の時間軸誤差を検出するジッタ検出手段と、
上記ジッタ検出手段にて検出されるジッタ信号に応じて、上記ＰＬＬ部に対し上記ジッタ信号を小さくするように調整する調整値を出力する制御部とを有し、
上記制御部は、
調整値毎に上記ジッタ信号を少回数測定し、その平均値が最小になる第１の調整値を求める第１の調整手段と、
上記第１の調整手段によって得られた調整値を基準値として、該基準値を中心に、上記第１の調整手段による調整時よりも調整範囲を狭くして、調整値毎に上記ジッタ信号を多回数測定し、その平均値が最小になる第２の調整値を求める第２の調整手段とを備えた、
ことを特徴とする光ディスク装置。
【請求項２】
請求項１に記載の光ディスク装置において、
上記第１の調整手段における調整値の変化の幅よりも、上記第２の調整手段による調整値の変化の幅の方が小さいことを特徴とする光ディスク装置。
【請求項３】
請求項１に記載の光ディスク装置において、
上記第２の調整手段は、
上記第１の調整手段により得られた、上記ジッタ信号のバラツキの平均値の各調査値間における変化量を、予め定めた基準変化量と比較し、該予め定めた基準変化量よりも小さい範囲を上記第２の調整手段の調整範囲とすることを特徴とする光ディスク装置。
【請求項４】
請求項１に記載の光ディスク装置において、
上記第２の調整値を記憶する調整値記憶手段を備え、
上記制御部は、上記調整値記憶手段に上記第２の調整値が記憶されているときは、上記調整値記憶手段に記憶された上記第２の調整値を上記基準値として、上記第２の調整手段による調整のみ行うことを特徴とする光ディスク装置。
【請求項５】
請求項４に記載の光ディスク装置において、
上記調整値記憶手段は、不揮発性記憶装置であることを特徴とする光ディスク装置。
【請求項６】
請求項４記載の光ディスク装置において、
上記調整値記憶手段は、
過去複数回における上記第２の調整で得られた、上記ジッタ信号の平均値が最小になる調整値を記憶しておき、
上記第２の調整手段は、上記調整値のうち、最小の調整値と最大の調整値とを求めることにより、次回の第２の調整手段による調整範囲を決定することを特徴とする光ディスク装置。
【発明の詳細な説明】
【０００１】
【発明の属する技術分野】
本発明は、光ディスク装置に関し、特に、光ディスクからの信号の再生を、最適な状態に調整する機能を備えたものに関するものである。
【０００２】
【従来の技術】
従来の光ディスク装置において、光ディスクからのRF信号の再生状態を最適にする調整方法としては、２値化されたRF信号から安定した基準クロックを生成し、ジッタ信号が最小になるようにPLL部のバランス調整を行っていた。
【０００３】
図１８は、従来の光ディスク装置の構成を示すブロック図である。図１８において、１０１はデータが記録された光ディスク、１０２は光ピックアップであり、光ディスク１０１へレーザービームを照射して、その反射光を受光して電気信号に変換している。１０３はデータスライサ部であり、光ピックアップ１０２からの電気信号を２値化処理し、PLL部１０４とエラー訂正部１０５に再生された２値化信号を供給している。
【０００４】
上記PLL部１０４は２値化信号にロックをかけ、安定した基準クロックを生成し、エラー訂正部１０５では、与えられた基準クロックと２値化信号とから再生信号を復調し、図示しないインターフェース部へ送信している。１０６はジッタ検出手段であり、PLL部１０４におけるジッタ値JITを検出し、ADコンバータ１０７に一定のサンプリング間隔にて取り込まれる。上記ADコンバータ１０７により、アナログ／ディジタル変換されたジッタ値JITはDSP１０８を介して、ROM１０９に内蔵されたμコードにより適宜演算処理されてRAM１１０に保存される。
【０００５】
上記DSP１０８は上記PLL部１０４のジッタが最小になるような調整値を求めるため、DAコンバータ１１１にPLL部１０４のバランス調整値を出力し、ディジタル／アナログ変換されたバランス調整値PLLBALとしてPLL部１０４に入力する。上記DSP１０８はバランス調整値PLLBALを変化させた時のジッタ値JITを観測し、ジッタ値JITが最小になるようなバランス調整値PLLBALを最適調整値として決定する。
【０００６】
以上のように構成された従来の光ディスク装置について、その動作を説明する。図１９は従来の光ディスク装置の、PLL部のバランス調整動作を説明するためのフローを記載した図である。
【０００７】
まず、DSP１０８は、ステップＳＴ００１において、バランス調整値PLLBALに調整値の下限値Minを出力する。次にステップＳＴ００２において、ジッタ値JITをADコンバータ１０７から取り込み、RAM１０８へ保存する。
【０００８】
次いで、ステップＳＴ００３において、ジッタ値JITを取り込んだ回数を、予め決められたｎ回と比較し、ｎ回以下であればステップＳＴ００２を繰り返す。一方、ジッタ値JITを取り込んで測定した回数がｎより大きいときには、ステップＳＴ００４に進み、ｎ回測定されたジッタ値JITの平均値を求める。これはジッタ検出手段１０６に回路的なバラツキがあるため、検出されたジッタ値JITにもバラツキが生じるためである。
【０００９】
次にステップＳＴ００５において、現在のバランス調整値PLLBALにおけるジッタ値JITの平均値を保存しておく。ここでは測定が最初なので、調整値PLLBALとして、調整の下限値Minにおけるジッタ値JITの平均値を保存しておくことになる。次いで、ステップＳＴ００６において、バランス調整値PLLBALは下限値Minの値に予め与えられた規定の調整ステップ幅STEPが加算される。
【００１０】
次いでステップＳＴ００７において、バランス調整値PLLBALが調整の上限値Maxを超えていないかをチェックし、超えていなければステップＳＴ００２から処理を繰り返すことになる。つまり、バランス調整値PLLBALは、ステップST００６において規定の調整ステップ幅STEPが加算されながら、調整の上限値Maxまで、全てのバランス調整値PLLBALにおいてジッタ値JITのｎ回の平均化処理が行われ、RAM１１０に保存される。
【００１１】
次にステップＳＴ００８において、ＲＡＭ１１０に保存されたジッタ値JITの平均値の中から最小値を検索する。最後にステップＳＴ００９において、ジッタ値JITの平均値が最小であったバランス調整値PLLBAL（PLLBAL_BEST）をバランス調整値PLLBALの最適値として設定して調整が完了する。
【００１２】
図２０は、図１９に示したフロー図による実際のPLL部のバランス調整の動きを示したもので、横軸にはバランス調整値PLLBALが設定され、縦軸にはジッタ値JITが示されている。バランス調整値PLLBALは、調整下限のMinから開始し、上限のMaxまで、調整ステップ幅STEPごとに増加して行く。バランス調整値PLLBALの各調整値毎にジッタ値JITはｎ回測定され、平均化される。これは図のようにジッタ値JITがバラつくため、最小値を求めるのが困難なためである。ジッタ値JITの平均値は、RAM１１０に保存されており、DSP１０８はその中から最小値を検索し、その時のバランス調整値PLLBALをPLLBAL_BESTとした。
【００１３】
【発明が解決しようとする課題】
従来の光ディスク装置は以上のように構成されており、バランス調整値PLLBALを下限から上限まで変化させて、その調整値毎に平均化処理を行っていたので、調整時間が長いという問題点があった。
本発明はかかる問題点に鑑みてなされたものであり、PLL部のバランス調整時間を短くすることのできる光ディスク装置を提供することを目的とする。
【００１４】
【課題を解決するための手段】
本発明の請求項１にかかる光ディスク装置は、レーザービームを光ディスクに照射し、その反射光を受光して電気信号に変換する光ピックアップと、上記電気信号を２値化するデータスライス部と、上記データスライス部からの２値化信号により基準クロックを生成するＰＬＬ部と、上記基準クロックにより、上記２値化信号の時間軸誤差を検出するジッタ検出手段と、上記ジッタ検出手段にて検出されるジッタ信号に応じて、上記ＰＬＬ部に対し上記ジッタ信号を小さくするように調整する調整値を出力する制御部とを有し、上記制御部は、調整値毎に上記ジッタ信号を少回数測定し、その平均値が最小になる第１の調整値を求める第１の調整手段と、上記第１の調整手段によって得られた調整値を基準値として、該基準値を中心に、上記第１の調整手段による調整時よりも調整範囲を狭くして、調整値毎に上記ジッタ信号を多回数測定し、その平均値が最小になる第２の調整値を求める第２の調整手段とを備えたものである。
【００１５】
また、この発明の請求項２にかかる光ディスク装置は、上記請求項１に記載の光ディスク装置において、上記第１の調整手段における調整値の変化の幅よりも、上記第２の調整手段による調整値の変化の幅の方が小さいものである。
【００１６】
また、この発明の請求項３にかかる光ディスク装置は、上記請求項１に記載の光ディスク装置において、上記第２の調整手段は、上記第１の調整手段により得られた、上記ジッタ信号のバラツキの平均値の各調整値間における変化量を、予め定めた基準変化量と比較し、該予め定めた基準変化量よりも小さい範囲を上記第２の調整手段の調整範囲とするものである。
【００１７】
また、この発明の請求項４にかかる光ディスク装置は、上記請求項１に記載の光ディスク装置において、上記第２の調整値を記憶する調整値記憶手段を備え、上記制御部は、上記調整値記憶手段に上記第２の調整値が記憶されているときは、上記調整値記憶手段に記憶された上記第２の調整値を上記基準値として、上記第２の調整手段による調整のみ行うものである。
【００１８】
また、この発明の請求項５にかかる光ディスク装置は、上記請求項４に記載の光ディスク装置において、上記調整値記憶手段は、不揮発性記憶装置としたものである。
【００１９】
また、この発明の請求項６にかかる光ディスク装置は、上記請求項４記載の光ディスク装置において、上記調整値記憶手段は、過去複数回における上記第２の調整で得られた、上記ジッタ信号の平均値が最小になる調整値を記憶しておき、上記第２の調整手段は、上記調整値のうち、最小の調整値と最大の調整値とを求めることにより、次回の第２の調整手段による調整範囲を決定するものである。
【００２０】
【発明の実施の形態】
（実施の形態１）
図１は本発明の実施の形態１にかかる光ディスク装置の構成を示すブロック図である。また、図２（ａ），（ｂ）は、本光ディスク装置の動作を示すフローを記載した図である。図１において、図１８と同一符号は、同一、または相当部分を示し、１はＤＳＰであり、第１の調整手段１ａと第２の調整手段１ｂとを備えており、ジッタが最小になるバランス調整値PLLBALを２段階に分けて演算する構成となっている。
【００２１】
以下、図２を参照しつつ動作について説明する。まず、DSP１は、ステップＳＴ００１において、バランス調整値PLLBALに調整値の下限値Minを出力する。次にステップＳＴ００２において、ジッタ値JITをADコンバータ１０７から取り込み、RAM１１０へ保存する。
【００２２】
次いで、ステップＳＴ１０１において、ジッタ値JITを取り込んだ回数を予め決められたｍ回と比較し、ｍ回以下であればステップＳＴ００２へ戻り処理を繰り返す。ここで、ｍは従来例での測定回数ｎよりもかなり少ない値にする。
【００２３】
一方、上記ステップＳＴ１０１において、ジッタ値JITを取り込んで測定した回数がｍより大きいときには、ステップＳＴ００４に進み、ｍ回測定されたジッタ値JITの平均値を求める。次にステップＳＴ００５において、現在のバランス調整値PLLBALにおけるジッタ値JITの平均値を保存しておく。ここでは測定が最初なので、調整値PLLBALとして、調整の下限値Minにおけるジッタ値JITの平均値を保存しておくことになる。
【００２４】
次いで、ステップＳＴ００６において、バランス調整値PLLBALは下限値Minの値に予め与えられた規定の調整ステップ幅STEPが加算される。ここでステップＳＴ００７において、バランス調整値PLLBALが調整の上限値Maxを超えていないかをチェックし、超えていなければステップＳＴ００２へ戻って上記処理を繰り返すことになる。つまり、バランス調整値PLLBALは、規定の調整ステップ幅STEPが加算されながら、調整の上限値Maxまで、全てのバランス調整値PLLBALにおいてジッタ値JITのｍ回の平均化処理が行われ、RAM１１０に保存される。
【００２５】
次にステップＳＴ００８において、ＲＡＭ１１０に保存されたジッタ値JITの平均値の中から最小値を検索する。次にステップＳＴ１０２において、ジッタ値の平均値が最小であったバランス調整値PLLBAL（PLLBAL_BETTER）をバランス調整値PLLBALの最適値として設定して第一の調整が完了する。
【００２６】
上記ステップＳＴ００８までの動作は従来と同じであり、JIT値の平均値の最小値におけるPLLBALをバランス調整値PLLBALの最適値（PLLBAL_BETTER）とする動作は、DSP１を構成する第１の調整手段１ａによって行われる。
【００２７】
次にDSP１を構成する第２の調整手段１ｂによって行われる処理について説明する。
DSP１はステップＳＴ１０３において、バランス調整値PLLBALに、第一の調整で得られたバランス調整値PLLBAL_BETTERから予め定めた定数bを調整ステップ幅STEPに乗算した値を減算して再設定を行う。これにより、第二の調整における調整範囲の下限を決定する。ここで定数ｂは第１の調整における全調整ステップ数を２で割った値よりも小さいものとする。すなわち、第一の調整で得られた最適調整値を中心に、第一の調整での調整範囲よりも狭い範囲での調整を開始する。
【００２８】
次にステップＳＴ１０４において、ジッタ値JITをADコンバータ１０７から取り込み、RAM１１０へ保存する。次いで、ステップＳＴ１０５において、ジッタ値JITを取り込んだ回数を、予め決められたｎ−ｍ回と比較し、ｎ−ｍ回以下であればステップＳＴ１０４へ戻り処理を繰り返す。これは、上述した第一の調整において、既にｍ回の測定を実施したので、従来の測定回数ｎ回からこのｍ回を減算したのであるが、この回数は従来のｎ回でも、任意の別の値でもよい。一方、ジッタ値JITを取り込んで測定した回数がｎ−ｍより大きいときにはステップＳＴ１０６に進み、ｎ−ｍ回測定されたジッタ値JITの平均値を求める。
【００２９】
次にステップＳＴ１０７において、現在のバランス調整値PLLBALにおけるジッタ値JITの平均値を保存しておく。次いで、ステップＳＴ１０８において、バランス調整値PLLBALは予め与えられた規定の調整ステップ幅STEPが加算される。ここでステップＳＴ１０９において、バランス調整値PLLBALが調整の上限値である、第一の調整での最適なバランス調整値PLLBAL_BETTERに予め定めた定数bを調整ステップ幅STEPに乗算した値を加算した値を、超えていないかどうかをチェックし、超えていなければステップＳＴ１０４に戻って処理を繰り返すことになる。つまり、第一の調整よりも狭い範囲でｎ−ｍ回の調整を行うことになる。次にステップＳＴ１１０において、ＲＡＭ１１０に保存されたジッタ値JITの平均値の中から最小値を検索する。
【００３０】
次にステップＳＴ１１１において、ジッタ値JITの平均値が最小であったバランス調整値PLLBAL（PLLBAL_BEST）をバランス調整値PLLBALの最適値として設定して第二の調整が完了する。
【００３１】
図３は上記図２（ａ）のフロー図で示した第一の調整の動作状態を示しており、バランス調整値PLLBALを下限Minから上限MaxまでのAの範囲をｍ回の平均化処理により測定し、ジッタ値JITが最低になる最適なバランス調整値PLLBAL_BETTERを求めている。
【００３２】
ここで上記第二の調整における調整範囲は、第一の調整におけるバランス調整値PLLBAL_BETTERを中心に、予め定めた定数ｂを調整ステップ幅STEPに乗算した範囲Bとして決定されている。
【００３３】
図４は上記図２（ｂ）のフロー図で示した第二の調整の動作状態を示しており、上記第一の調整で得られた調整範囲であるPLLBAL_BETTER−STEP*ｂからPLLBAL_BETTER＋STEP*ｂまでの範囲Ｂを、ｎ−ｍ回測定して第二の調整が行われている。この第二の調整で得られたジッタ値JITが最小になる最適なバランス調整値PLLBAL_BESTが最終的な調整値となる。
【００３４】
このように本実施の形態１の光ディスク装置によれば、２段階の調整手段１ａ，１ｂを有するDSP１を設け、第１の調整手段１aによる第一の調整においては、少数回の平均化処理で調整範囲全体を測定するため、調整時間が節約でき、かつ、第２の調整手段１ｂによる第二の調整においては、多数回の平均化処理を、限定された調整範囲内のみで行うため、短時間で精度の良い測定を行うことができる。
【００３５】
（実施の形態２）
次に本発明の実施の形態２にかかる光ディスク装置について説明する。図５は本実施の形態２による光ディスク装置の構成を示すブロック図である。また、図６（ａ），（ｂ）は、本実施の形態２に係る光ディスク装置の動作を示すフローを記載した図である。図５において、図１８と同一符号は同一、または相当部分を示し、２は本実施の形態２におけるDSP部であり、第１の調整手段２ａと第２の調整手段２ｂとを備えており、ジッタが最小になるバランス調整値PLLBALを２段階に分けて演算する構成となっている。
【００３６】
以下、図６を参照しつつ動作について説明する。図６では実施の形態１で説明したフロー図（図２）におけるステップＳＴ００６をステップＳＴ４０１に変更し、ステップＳＴ１０８をステップＳＴ４０２に変更したものであり、それ以外のステップについては図２で説明した内容と同様なので、ここでは重複するステップの説明については省略する。
【００３７】
図６（ａ）において、ステップＳＴ４０１では、ステップＳＴ００５で用いたバランス調整値PLLBALに対して、バランス調整値PLLBALを更新する際に、調整ステップ幅を実施の形態１あるいは従来例におけるSTEPよりも大きくして、STEP_Lとして設定する。
また、ステップＳＴ４０２においては、ステップＳＴ１０７で用いたバランス調整値PLLBALに対して、調整ステップ幅を従来例のSTEPと同等もしくは従来例よりも小さくしてSTEP_Sとして設定する。
【００３８】
図７は上記図６（ａ）のフロー図で示した第一の調整の動作状態を示しており、図８は上記図６（ｂ）のフロー図で示した第二の調整の動作状態を示す図である。図７に示すように、従来の調整ステップ幅STEPよりも大きな調整ステップ幅STEP_Lで調整を行っていることから、第1の調整手段２ａによる第一の調整処理が実施の形態１よりも簡略化され、また、図８に示すように、第２の調整手段２ｂによる第二の調整においても、従来の調整ステップ幅STEPよりも小さな調整ステップ幅STEP_Sで調整を行うようにしているため、肝心な、ジッタが最小になるバランス調整値PLLBALの検出を実施の形態１よりも高い精度で行うことができる。
【００３９】
このように本実施の形態２の光ディスク装置によれば、DSP部２を構成する第１の調整手段２ａによる第一の調整においては、調整ポイントが従来や実施の形態１に比べて減るので、さらに調整時間の短縮が図れる。また、第２の調整手段２ｂによる第二の調整においては、調整ポイントが増えるので、さらに精度良く、ジッタが最小になるバランス調整値PLLBALの測定を行うことができる。
【００４０】
（実施の形態３）
次に本発明の実施の形態３にかかる光ディスク装置について説明する。図９は本実施の形態３による光ディスク装置の構成を示すブロック図である。また、図１０（ａ），（ｂ）は、本発明の実施の形態３に係る光ディスク装置の動作を示すフローを記載した図である。図９において、図１８と同一符号は同一、または相当部分を示し、３は本実施の形態３におけるDSP部であり、第１の調整手段３ａと第２の調整手段３ｂとを備えており、ジッタが最小になるバランス調整値PLLBALを２段階に分けて演算する構成となっている。
【００４１】
以下、図１０を参照しつつ動作について説明する。図１０では実施の形態１で説明したフロー図（図２）における、ステップＳＴ００８，ＳＴ１０２，ＳＴ１０３，ＳＴ１０９をそれぞれ、ステップＳＴ７０１，ＳＴ７０２，ＳＴ７０３，ＳＴ７０４に変更したものであり、それ以外のステップについては図２で説明した内容と同様なので、ここでは重複するステップの説明については省略する。
【００４２】
図１０（ａ）において、ステップＳＴ７０１では、ステップＳＴ００７でバランス調整値PLLBALが調整の上限値Maxを超えていた場合に、ＲＡＭ１１０に保存されたジッタ値JITの調整値毎における、バラツキの平均値から、各調整値間の変化量を求める。これは各調整値の、バラツキの平均値の差分より簡単に求められる。この差分が大きければ変化量が大きく、小さければ変化量が小さいということである。
【００４３】
次にステップＳＴ７０２では、ステップＳＴ７０１で求めた変化量の中から、予め定めた基準変化量に比べて小さいバランス調整値PLLBALの範囲を抽出し、PLLBAL_PREからPLLBAL_POSTの範囲として、第二の調整における調整範囲を決定する。
【００４４】
次いで、第２の調整手段３ｂでは図１０（ｂ）に示すように、ステップＳＴ７０３においては、バランス調整値PLLBALにジッタ値JITの平均値の変化量が基準変化量よりも少なかった範囲の最初の値であるPLLBAL_PREを設定して調整を開始する。
【００４５】
そして、ステップＳＴ７０４においては、バランス調整値PLLBALが上記決定されたバランス調整値PLLBALの範囲PLLBAL_POSTを超えていないかどうかをチェックし、超えていなければステップＳＴ１０４へ戻り処理を繰り返すことになる。すなわち、ジッタ値JITの平均値の変化量が基準変化量よりも少なかった範囲の最終の値であるPLLBAL_POSTまでを調整の上限としている。
【００４６】
図１１は、図１０のフロー図で示した第一の調整の動作の様子を示しており、ジッタ値JITの平均値の変化量から、第二の調整における調整範囲を決定する際の様子である。ジッタ値JITは図１１のように、DSP部３の調整が適正値に近づくと、その変化量が少なくなりバランス調整値PLLBALに対しての反応が鈍くなることがわかる。
【００４７】
このように本実施の形態３の光ディスク装置によれば、２段階の調整手段３ａ，３ｂを有するDSP部３を設け、第１の調整手段３ａによる第一の調整では、ジッタ値JITの平均値の変化量から、第二の調整における調整範囲を決定し、第２の調整手段３ｂによる第二の調整では、調整範囲の下限値から上限値に対して、ジッタ値JITが最小値のときのバランス調整値PLLBALをPLLBAL_BESTとして選択するようにしたので、DSP部３の調整範囲が上記限られた範囲に限定できるため、より絞り込んだ範囲内で精度よく調整することができる。
【００４８】
（実施の形態４）
次に本発明の実施の形態４にかかる光ディスク装置について説明する。図１２は本実施の形態４による光ディスク装置の構成を示すブロック図である。また、図１３は、本発明の実施の形態４に係る光ディスク装置の動作を示すフローを記載した図である。図１２において、図１８と同一符号は同一、または相当部分を示し、４は本実施の形態４におけるDSP部であり、実施の形態１で示した第１の調整手段１ａと同様の構成を有する第１の調整手段４ａと、第２の調整手段４ｂとを備えており、ジッタが最小になるバランス調整値PLLBALを２段階に分けて演算する構成となっている。
【００４９】
以下、図１３を参照しつつ動作について説明する。図１３では実施の形態１で説明したフロー図（図２）におけるステップＳＴ００１からステップＳＴ１０２における処理は同一で、ステップST１０３，ST１０９をそれぞれＳT９０１，ＳＴ９０２とし、さらにステップＳＴ９０３を追加したものである。それ以外のステップについては図２で説明した内容と同様なので、ここでは重複するステップの説明については省略する。
【００５０】
電源投入後に、図１３（ａ）において、ステップＳＴ００１からステップＳＴ１０２を処理した後、図１３（ｂ）において、ステップＳＴ９０１では、電源投入後の第一回目は、第１の調整手段４ａによって、図１で示した第１の調整手段１ａによる処理と同様に処理された第一の調整におけるPLLBAL_BETTERから、第２の調整手段４ｂによって、第二の調整における調整範囲を算出し、第二回目の調整時以降は、ＲＡＭ１１０に保存してある前回のバランス調整値PLLBALの最適値PLLBAL_MEMにより第二の調整における調整範囲の下限を決定する。
【００５１】
次にステップＳＴ９０２においては、最適値PLLBAL_MEMから算出した調整範囲の上限と、調整範囲との比較を行う。
最後にステップＳＴ９０３において、今回得られた最適値PLLBAL_BESTをRAM１１０にPLLBAL_MEMとして保存しておく。
【００５２】
このように本実施の形態４の光ディスク装置によれば、２段階の調整手段４ａ，４ｂを有するDSP４を設け、第１の調整手段４aによる第一の調整においては、少数回の平均化処理で調整範囲全体を測定するため、調整時間が節約でき、かつ、第２の調整手段４ｂによる第二の調整においては、電源投入後の第１回目の第２の調整手段４ｂの測定時に算出された最適値PLLBAL_BESTをRAM１１０にPLLBAL_MEMとして保存するため、電源投入後の初期起動時以外は、第２の調整手段４ｂによる第二の調整のみを行えばよいため、その分、調整時間を短縮することができる。
【００５３】
（実施の形態５）
次に本発明の実施の形態５にかかる光ディスク装置について説明する。図１４は、本実施の形態５に係る光ディスク装置の構成を示すブロック図である。図において、図１２と同一符号は同一、または相当部分を示し、１１２はDSP部４に接続された不揮発性メモリであり、この不揮発性メモリ１１２は、図１３のステップＳＴ９０３で保存されるバランス調整値の最適値PLLBAL_MEMを保存しておくために使用される。
【００５４】
このように本実施の形態５の光ディスク装置によれば、上記実施の形態４の構成において、不揮発性メモリ１１２を設け、電源を切った後でもバランス調整の最適値PLLBAL_MEMを該不揮発性メモリ１１２に保存しておくことができるので、光ディスク装置の製造工程内で、一度、第一の調整および第二の調整を行えば、その後は第二の調整のみを行うことで、バランス調整値の最適値を算出することができるので、調整時間を大幅に短縮することができる。
【００５５】
（実施の形態６）
次に本発明の実施の形態６にかかる光ディスク装置について説明する。図１５は本実施の形態６による光ディスク装置の構成を示すブロック図である。また、図１６は、本発明の実施の形態６に係る光ディスク装置の動作を示すフローを記載した図である。図１５において、図１８と同一符号は同一、または相当部分を示し、５は本実施の形態６におけるDSP部であり、第１の調整手段５ａと、第２の調整手段５ｂとを備えており、ジッタが最小になるバランス調整値PLLBALを２段階に分けて演算する構成となっている。
【００５６】
以下、図１６を参照しつつ動作について説明する。図１６では実施の形態５で説明したフロー図（図１３）における、ステップＳＴ９０１の前段にＳＴ１１０１を設け、ＳＴ１０４，ＳＴ９０２をそれぞれステップＳT１１０２，ステップＳＴ１１０３に変更したものである。それ以外のステップについては図１３で説明した内容と同様なので、ここでは重複するステップの説明については省略する。
【００５７】
図１６において、ステップＳＴ１１０１において、過去複数回における第２の調整手段５ｂによる第二の調整で得られたジッタ値JITの平均値が最小になるバランス調整値PLLBAL_MEM[0]~[I]をＲＡＭ１１０に記憶しておき、記憶された調整値のうち、最小の調整値PLLBAL_BEST_Minと最大の調整値PLLBAL_BEST_Maxとを求める。
【００５８】
次にステップＳＴ１１０２において、バランス調整値PLLBALの初期値として、記憶された最小の調整値PLLBAL_BEST_Minから、予め規定した定数Ｃを調整ステップ幅STEPに乗算した値で減算した値を設定する。ここで定数Ｃは第１の調整における全調整ステップ数を２で割った値よりも小さいものとする。
【００５９】
そしてステップＳＴ１１０３においては、バランス調整値PLLBALと、記憶された最大の調整値PLLBAL_BEST_Maxに、予め規定した定数Cを調整ステップ幅STEPに乗算した値を加算した値とを比較し、その値まで調整を行う。
【００６０】
図１７は、図１６のフロー図で示した第二の調整の動作の様子を示しており、最小の調整値PLLBAL_BEST_MinからSTEP*Cを減算した値から、最大の調整値PLLBAL_BEST_Maxの値にSTEP*Cを加算した値までの範囲Cを調整範囲としている。
【００６１】
このように本実施の形態６の光ディスク装置によれば、２段階の調整手段５ａ，５ｂを有するDSP部５を設け、過去複数回における第２の調整手段５ｂによる第二の調整で得られたジッタ値JITの平均値が最小になるバランス調整値PLLBAL_MEM[0]~[I]をＲＡＭ１１０に記憶しておき、記憶された上記調整値のうち、最小の調整値PLLBAL_BEST_Minと最大の調整値PLLBAL_BEST_Maxとを求めることにより、次回の第二の調整における調整範囲を決定するようにしたので、実際の使用に則した実用的なバランス調整値を用いた調整範囲の決定を行うことができ、バランス調整値の算出時間を大幅に短縮することができる。
【００６２】
【発明の効果】
以上のように、本発明の請求項１にかかる光ディスク装置によれば、レーザービームを光ディスクに照射し、その反射光を受光して電気信号に変換する光ピックアップと、上記電気信号を２値化するデータスライス部と、上記データスライス部からの２値化信号により基準クロックを生成するＰＬＬ部と、上記基準クロックにより、上記２値化信号の時間軸誤差を検出するジッタ検出手段と、上記ジッタ検出手段にて検出されるジッタ信号に応じて、上記ＰＬＬ部に対し上記ジッタ信号を小さくするように調整する調整値を出力する制御部とを有し、上記制御部は、調整値毎に上記ジッタ信号を少回数測定し、その平均値が最小になる第１の調整値を求める第１の調整手段と、上記第１の調整手段によって得られた調整値を基準値として、該基準値を中心に、上記第１の調整手段による調整時よりも調整範囲を狭くして、調整値毎に上記ジッタ信号を多回数測定し、その平均値が最小になる第２の調整値を求める第２の調整手段とを備えたものとしたので、第１の調整手段による調整では、少数回の平均化処理で調整範囲全体を測定するため、調整時間が節約でき、かつ、第２の調整手段による調整においては、多数回の平均化処理を限定された調整範囲内のみで演算処理を行うため、短時間で精度の良い測定を行うことができるという効果が得られる。
【００６３】
また、この発明の請求項２にかかる光ディスク装置によれば、上記請求項１に記載の光ディスク装置において、上記第１の調整手段における調整値の変化の幅よりも、上記第２の調整手段による調整値の変化の幅の方が小さいものとしたので、第１の調整手段による調整ポイントがさらに減るので、さらに調整時間の短縮が図れ、かつ第２の調整手段による調整ポイントが増えることで、より精度の高いバランス調整値を得ることができるという効果がある。
【００６４】
また、この発明の請求項３にかかる光ディスク装置によれば、上記請求項１に記載の光ディスク装置において、上記第２の調整手段は、上記第１の調整手段により得られた、上記ジッタ信号のバラツキの平均値の各調整値間における変化量を、予め定めた基準変化量と比較し、該予め定めた基準変化量よりも小さい範囲を上記第２の調整手段の調整範囲とするものとしたので、調整範囲がさらに限られた範囲に限定でき、より絞り込んだ範囲内で精度よくバランス調整値を調整することができるという効果が得られる。
【００６５】
また、この発明の請求項４にかかる光ディスク装置によれば、上記請求項１に記載の光ディスク装置において、上記第２の調整値を記憶する調整値記憶手段を備え、上記制御部は、上記調整値記憶手段に上記第２の調整値が記憶されているときは、上記調整値記憶手段に記憶された上記第２の調整値を上記基準値として、上記第２の調整手段による調整のみ行う行うものとしたので、電源投入後の初期起動時のみ第１の調整手段による調整と第２の調整手段による調整を行ない、その後は、第２の調整手段による調整のみを行えばよく、調整時間の短縮が図れるという効果が得られる。
【００６６】
また、この発明の請求項５にかかる光ディスク装置によれば、上記請求項４に記載の光ディスク装置において、上記調整値記憶手段は、不揮発性記憶装置としたので、該不揮発性記憶装置を用いて、初期起動時に決定された、上記第２の調整による上記調整範囲を記憶することで、上記制御部は、次回以降の調整を、上記第２の調整手段による調整のみ行うものとしたので、電源を切った後でも調整範囲を保存しておくことができ、光ディスク装置の製造工程内で、一旦、第１の調整手段による調整と第２の調整手段による調整を行なうことで、その後は、第２の調整手段による調整のみを行えばよく、その結果、調整時間を大幅に短縮することができるという効果が得られる。
【００６７】
また、この発明の請求項６にかかる光ディスク装置によれば、上記請求項４記載の光ディスク装置において、上記調整値記憶手段は、過去複数回における上記第２の調整で得られた、上記ジッタ信号の平均値が最小になる調整値を記憶しておき、上記第２の調整手段は、上記調整値のうち、最小の調整値と最大の調整値とを求めることにより、次回の第２の調整手段による調整範囲を決定するものとしたので、過去に調整された最適な調整値の範囲が分かるので、その範囲に限定して第２の調整のみ行えばよく、調整時間を大幅に短縮することができるという効果が得られる。
【図面の簡単な説明】
【図１】本発明の実施の形態１に係る光ディスク装置の構成を示すブロック図である。
【図２】上記実施の形態１に係る光ディスク装置の動作を説明するフローを記載した図である。
【図３】上記実施の形態１に係る光ディスク装置の第一の調整動作を説明するための波形を記載した図である。
【図４】上記実施の形態１に係る光ディスク装置の第二の調整動作を説明するための波形を記載した図である。
【図５】本発明の実施の形態２に係る光ディスク装置の構成を示すブロック図である。
【図６】  上記実施の形態２に係る光ディスク装置の動作を説明するフローを記載した図である。
【図７】  上記実施の形態２に係る光ディスク装置の第一の調整動作を説明するための波形を記載した図である。
【図８】  上記実施の形態２に係る光ディスク装置の第二の調整動作を説明するための波形を記載した図である。
【図９】本発明の実施の形態３に係る光ディスク装置の構成を示すブロック図である。
【図１０】上記実施の形態３に係る光ディスク装置の動作を説明するフローを記載した図である。
【図１１】上記実施の形態３に係る光ディスク装置の第二の調整動作を説明するための波形を記載した図である。
【図１２】本発明の実施の形態４に係る光ディスク装置の構成を示すブロック図である。
【図１３】上記実施の形態４に係る光ディスク装置の動作を説明するためのフローを記載した図である。
【図１４】本発明の実施の形態５に係る光ディスク装置の構成を示すブロック図である。
【図１５】本発明の実施の形態６に係る光ディスク装置の構成を示すブロック図である。
【図１６】上記実施の形態６に係る光ディスク装置の動作を説明するためのフローを記載した図である。
【図１７】上記実施の形態６に係る光ディスク装置の動作を説明するための波形を記載した図である。
【図１８】従来の光ディスク装置の構成を示すブロック図である。
【図１９】従来の光ディスク装置の動作を説明するためのフローを記載した図である。
【図２０】従来の光ディスク装置の動作を説明するための波形を記載した図である。
【符号の説明】
１〜５  DSP
１ａ，２ａ，３ａ，４ａ，５ａ  第1の調整手段
１ｂ，２ｂ，３ｂ，４ｂ，５ｂ  第２の調整手段
１０１  光ディスク
１０２  光ピックアップ
１０３  データスライサ部
１０４  PLL部
１０５  エラー訂正部
１０６  ジッタ検出手段
１０７  ADコンバータ
１０８  DSP
１０９  ROM
１１０  RAM
１１１  DAコンバータ
１１２  不揮発性メモリ
【図１】
0003971109.tif 000002
【図２】
0003971109.tif 000003
【図３】
0003971109.tif 000004
【図４】
0003971109.tif 000005
【図５】
0003971109.tif 000006
【図６】
0003971109.tif 000007
【図７】
0003971109.tif 000008
【図８】
0003971109.tif 000009
【図９】
0003971109.tif 000010
【図１０】
0003971109.tif 000011
【図１１】
0003971109.tif 000012
【図１２】
0003971109.tif 000013
【図１３】
0003971109.tif 000014
【図１４】
0003971109.tif 000015
【図１５】
0003971109.tif 000016
【図１６】
0003971109.tif 000017
【図１７】
0003971109.tif 000018
【図１８】
0003971109.tif 000019
【図１９】
0003971109.tif 000020
【図２０】
0003971109.tif 000021